(57)【要約】      （修正有）【課題】測長器をレベル測定装置に簡便に一体化し、しかも高い精度で測定ポイントまでの距離を正確に測定することのできるレベル測定装置用測長器接続具を提供する。【解決手段】レベル測定装置１にレベル測定装置用測長器接続具３を用いて測長器２を組み付けする。レベル測定装置用測長器接続具３に、レベル測定装置１の測定部ボディ１ｂを包持する測定部ボディ包持部３ｃと、測長器２を収容するための測長器収容部３ｅとを設ける。測長器収容部３ｅに、測長器２の測長基準面２ａをレベル測定装置１の旋回中心軸Ｏ１に合致させる測定基準受け部１４を設ける。【選択図】図１
2013108966.tif 000002
【特許請求の範囲】
【請求項１】
レベル測定装置に、測長器を組み付けるためのレベル測定装置用測長器接続具であって、
前記接続具は、前記レベル測定装置の測定部ボディを包持して該レベル測定装置に固定される測定部ボディ包持部と、
前記測長器を収容する測長器収容部とを備え、
該測長器収容部は、前記測長器の測長基準部を前記レベル測定装置の旋回中心軸に合致させる測定基準受け部を備えている
ことを特徴とするレベル測定装置用測長器接続具。
【請求項２】
前記測長器の測距軸を前記レベル測定装置の視準線と平行に位置させるための上下方向調整機構と左右方向調整機構とを備えている
ことを特徴とする請求項１に記載のレベル測定装置用測長器接続具。
【請求項３】
前記測定部ボディ包持部が前記視準線方向に長さの異なる複数の測定部ボディを選択的に包持するための測定部ボディ包持部位置調整機構を備えている
ことを特徴とする請求項１または２に記載のレベル測定装置用測長器接続具。
【発明の詳細な説明】
【技術分野】
【０００１】  本発明は、高低差の測定や水準測量に用いられる自動レベルやチルチングレベル等のレベル測定装置に、既成品の測長器を組み付けるためのレベル測定装置用測長器接続具に関する。
【背景技術】
【０００２】  高低差の測定や角度，水準測量に用いるレベル測定装置として、自動レベルやチルチィングレベル，デジタルレベル，電子レベル，レーザレベル等がある（例えば、特許文献１参照）。また、建設，建築現場や住宅地，道路等の測地では、レベル測定装置から測定ポイントまでの距離を求めることが多く、別途にレーザ距離計や巻尺といった測長器が用いられている（例えば、特許文献２参照）。【０００３】
【先行技術文献】
【特許文献】
【０００４】
【特許文献１】  特開平５−２７２９７０号公報
【特許文献２】  特表２００８−５２３３７１号公報
【発明の概要】
【発明が解決しようとする課題】
【０００５】  レベル測定装置から測定ポイントまでの距離を精度よく測定するためには、測長器の測長基準面をレベル測定装置の旋回中心軸上に設定された測定基準位置と正確に合致させる必要があるが、上記特許文献１のレベル測定装置と特許文献２の測長器との併用では、両者を目測で近づける程度が限度であり、また測長器の測距軸がレベル測定装置の視準線から傾いてしまう等、精度の高い測長を行うことは困難であった。【０００６】  本発明は、かかる実情を背景にしてなされたもので、その目的とするところは、測長器をレベル測定装置に簡便に一体化することができ、しかも高い精度で測定ポイントまでの距離を正確に測定することのできるレベル測定装置用測長器接続具を提供することにある。
【課題を解決するための手段】
【０００７】  上述の目的を達成するため、本発明のレベル測定装置用測長器接続具は、レベル測定装置に、測長器を組み付けるためのレベル測定装置用測長器接続具であって、前記接続具は、前記レベル測定装置の測定部ボディを包持して該レベル測定装置に固定される測定部ボディ包持部と、前記測長器を収容する測長器収容部とを備え、該測長器収容部は、前記測長器の測長基準部を前記レベル測定装置の旋回中心軸に合致させる測定基準受け部を備えていることを特徴としている。【０００８】  本発明の他の特徴として、前記測長器の測距軸を前記レベル測定装置の視準線と平行に位置させるための上下方向調整機構と左右方向調整機構とを備えている。
また、本発明のさらなる特徴として、前記測定部ボディ包持部が前記視準線方向に長さの異なる複数の測定部ボディを選択的に包持するための測定部ボディ包持部位置調整機構を備えている。【０００９】  本発明のレベル測定装置用測長器接続具が対象とするレベル測定装置は、装置本体を鉛直方向の旋回中心軸回りに回転させてレベル測定を行う自動レベルやチルチングレベル，電子レベル，レーザレベル等である。また測長器は、レベル測定装置の形状や大きさにに合わせて専用品を作製してもよいが、市販品であってもかまわない。
測長器を用いて測定ポイントまでの測長を計測する場合に、レベル測定装置用測長器接続具は、測定部ボディ包持部をレベル測定装置の測定部ボディに包持させてレベル測定装置に固定され、このレベル測定装置用測長器接続具の測長器収容部に測長器を収容する。【００１０】  測長器は、測長基準部である測長基準部を、レベル測定装置用測長器接続具の測定基準受け部によって、レベル測定装置の旋回中心軸に合致させてレベル測定装置用測長器接続具の測長器収容部に収容され、そのまま測長器の電源をＯＮ（測距ＯＮ）することにより、レベル測定装置の測定基準位置から測定ポイントまでの距離が測定される。【００１１】  本発明のレベル測定装置用測長器接続具には、測長器の測距軸方向を調整する上下方向調整機構と左右方向調整機構とを備えることが好ましく、この調整機構を用いて測距軸をレベル測定装置の視準線と平行に位置させることにより、レベル測定装置の測定基準位置から測定ポイントまでの距離がより精度よく測られる。【００１２】  さらに、本発明のレベル測定装置用測長器接続具は、視準線方向に長さの異なる複数の測定部ボディに測定部ボディ包持部を選択的に包持させるための測定部ボディ包持部位置調整機構を設けることができる。この測定部ボディ包持部位置調整機構は、一種類のレベル測定装置用測長器接続具を測定部ボディが視準線方向に長さの異なる複数のレベル測定装置にも使用できるようにしたもので、具体的には、測長器収容部の測定基準受け部と測長器の測長基準部との位置合わせを保持しながら、測定部ボディ包持部をレベル測定装置の測定部ボディ長に合わせて視準線方向へ移動できる構造とするものである。測定部ボディ包持部は多段階で固定してもよく、あるいは任意の位置に固定できるようにしてもよい。【００１３】  上述の測定部ボディ包持部位置調整機構により、本発明のレベル測定装置用測長器接続具を、測定部ボディ長さの異なる他のレベル測定装置にも使用することが可能で、レベル測定装置用測長器接続具の測長器収容部に、測長器の測長基準部をレベル測定装置の旋回中心軸に合致させながら、測長器を収容したレベル測定装置用測長器接続具がレベル測定装置に取付けられる。
【発明の効果】
【００１４】  本発明のレベル測定装置用測長器接続具によれば、測長器の測長基準部を測定基準受け部によってレベル測定装置の旋回中心軸に合致させながら測長器を簡便に装着しつつ、レベル測定装置の測定基準位置から測定ポイントまでの距離を高い精度で測定することができるようになる。さらに、測長器に市販の既製品をそのまま用いることができるので、運用コストが安く済むという利点がある。【００１５】  また、本発明のレベル測定装置用測長器接続具に、測長器の測距軸をレベル測定装置の視準線と平行に位置させるための上下方向調整機構と左右方向調整機構とを備えることにより、測長精度を向上することができる。
さらに、測定部ボディ包持部位置調整機構を備えることにより、測定部ボディ長さの異なる他のレベル測定装置にも測長器を組み合わせることができるので、高い汎用性と経済性が得られる。
【図面の簡単な説明】
【００１６】
【図１】  本発明の一形態例を示すレベル測定装置用測長器接続具を用いて測長器をレベル測定装置に固定した状態の正面図である。
【図２】  本発明の一形態例を示すレベル測定装置用測長器接続具を用いて測長器をレベル測定装置に固定した状態の平面図である。
【図３】  本発明の一形態例を示すレベル測定装置用測長器接続具を用いて測長器をレベル測定装置に固定した状態の左側面図である。
【図４】  本発明の一形態例を示すレベル測定装置用測長器接続具を用いて測長器をレベル測定装置に固定した状態の右側面図である。
【図５】  本発明の一形態例を示す上下方向調整機構及び左右方向調整機構の拡大正面図である。
【図６】  本発明の一形態例を示す上下方向調整機構及び左右方向調整機構の拡大平面図である。
【図７】  本発明の一形態例を示すレベル測定装置用測長器接続具を用いて測長器を他のレベル測定装置に固定した状態の正面図である。
【図８】  本発明の一形態例を示すレベル測定装置用測長器接続具を用いて測長器を他のレベル測定装置に固定した状態の平面図である。
【発明を実施するための形態】
【００１７】  以下、本発明の各形態例を図面に基づいて説明する。
図１〜図６に示すように、レベル測定装置１には、測長器２がレベル測定装置用測長器接続具３（以下、測長器接続具３と略記する）を用いて着脱自在に取付けられる。
【００１８】  レベル測定装置１は、上部旋回体１ａの上部に円筒状の測定部ボディ１ｂを横置きし、該測定部ボディ１ｂの内部に望遠鏡（図示しない）を収容したレーザレベルで、レベル測定時には、上部旋回体１ａと測定部ボディ１ｂとが旋回中心軸Ｏ１回りに一体に旋回できるようになっている。
測長器２は、後端面を本発明の測長基準部である測長基準面２ａとなしており、レベル測定装置１で計測された測定ポイントまでの距離を求める際には、略横長方体のボディ２ｂ全体が後述する測長器接続具３の測長器収容部３ｅに着脱自在に収容される。
【００１９】  前記測長器接続具３は、横方向に配設される第１スライド板３ａと、該第１スライド板３ａの下面先端側に配設される第２スライド板３ｂと、該第２スライド板３ｂの先端に垂設される環状の測定部ボディ包持部３ｃと、前記第１スライド板３ａの後端から上方に突設される支持板３ｄと、該支持板３ｄから前記第２スライド板３ｂの上方へ所定の間隔を置いて突設される横長の測長器収容部３ｅと、該測長器収容部３ｅの後部壁３ｆ及び前記支持板３ｄとの間に設けられる上下方向調整機構４並びに左右方向調整機構５と、スライド板３ｄを通して第１スライド板３ａと測長器収容部３ｅとに設けられる測定部ボディ包持部位置調整機構６とを備えている。
【００２０】  測定部ボディ包持部３ｃは、複数の取付けネジ７を用いて第２スライド板３ｂの先端下面に垂設され、外周面下側に固定用ダイヤル８が設けられるとともに、先端側内周面にレベル測定装置１へ装着する際の位置決めとなる環状リブ３ｊが設けられている。
【００２１】  上下方向調整機構４と左右方向調整機構５のそれぞれは、測長器収容部３ｅの後部壁３ｆに螺刻されるめねじ孔１０と、該めねじ孔１０に支持板３ｄを通してねじ込まれる調整ボルト１１とを備えており、さらに測長器接続具３の支持板３ｄと測長器収容部３ｅの後部壁３ｆとの間に介装される球面座ナット１２と、該球面座ナット１２に支持板３ｄを通してねじ込まれる基軸ボルト１３とを、両調整機構４，５の共通の部材として用いている。
球面座ナット１２と基軸ボルト１３とは、測長器収容部３ｅに収容される測長器２の測距軸Ｏ２上に位置するよう配置されており、それぞれの調整機構４，５の調整ボルト１１をねじ込みまたはねじ戻し操作することにより、測長器収容部３ｅの後部壁３ｆを球面座ナット１２に滑らせながら、基軸ボルト１３を支点に測長器収容部３ｅを上下方向もしくは左右方向へ揺動して、測長器収容部３ｅに収容した測長器２の測距軸Ｏ２をレベル測定装置１の測定部ボディ１ｂの中心軸であるレベル視準線Ｏ３と平行となるように調整される。
【００２２】  測長器収容部３ｅは、後部壁３ｆの内側面を旋回中心軸Ｏ１上に位置させていて、この内側面を本形態例の測定基準受け面１４となしている。測長器収容部３ｅの前部壁３ｇは、内部に横長円形の測長窓１５が開口して設けられ、その一端を支軸１６にて測長器収容部３ｅに回動可能に軸支し、他端側にロックボルト１７を取付けた開閉カバーとなっている。
測長器２は、前部壁３ｇを開いた開口より測長器収容部３ｅに収容され、先端を前部壁３ｇにて抜け止めされるとともに、上方への抜けを前部壁３ｇと一体のガイドリブガイドリブ３ｈと後部壁３ｆ近傍に配置したガイドリブ３ｉとで防止される。
【００２３】  測長器収容部３ｅに収容された測長器２は、測長基準部である後端の測長基準面２ａが測長器収容部３ｅの測定基準受け面１４と当接し、レベル測定の基準部である上部旋回体１ａ及び測定部ボディ１ｂの旋回中心軸Ｏ１と位置合わせされる。測長器２はこのようにして、測長基準面２ａが旋回中心軸Ｏ１と正確に位置合わせされるので、レベル測定装置１の測定基準位置からレベル測定ポイントまでの距離を高い精度で測定することができる。
【００２４】  図１，２，７，８に示すように、前記測定部ボディ包持部位置調整機構６は、前記第１スライド板３ａに長手方向へ開設されたガイド孔２０ａ，２０ｂ，２０ｂと、前記第２スライド板３ｂの上面に突出してガイド孔２０ａにスライド可能に収容される一対のガイドネジ２１，２１と、測長器収容部３ｅの内部からガイド孔２０ｂ，２０ｂを通して第２スライド板３ｂにねじ込まれる取付けネジ２２，２２とを備えている。
ガイドネジ２１，２１とガイド孔２０ａとは、第１，第２スライド板３ａ，３ｂの相対的な横移動を許容し、また取付けネジ２２，２２とガイド孔２０ｂ，２０ｂも、第１，第２スライド板３ａ，３ｂの相対的な横移動を許容しつつ、取付けネジ２２，２２の増し締めによって両スライド板３ａ，３ｂを所望の位置に固定することによって、上述の測長器２を測定部ボディ１ｂの長さが異なる他のレベル測定装置１にも使用できるようにしたもので、測長器２を測定部ボディ１ｂの長さが異なる他のレベル測定装置１に使用する際には、取付けネジ２２，２２を一旦緩めて、ガイド孔２０にガイドネジ２１，２１をスライドさせることにより、第１スライド板３ａと第２スライド板３ｂとの相対位置を長くまたは短く変更し、両第１，第２スライド板３ａ，３ｂが所望の位置関係になった状態で取付けネジ２２，２２をねじ込むことにより、第１，第２スライド板３ａ，３ｂを固定する。
これにより、測長器２の測長基準面２ａと測長器収容部３ｅの測定基準受け面１４とを旋回中心軸Ｏ１上に保持しつつ、測長基準面２ａ及び測定基準受け面１４から測定部ボディ包持部３ｃまでの長さが変更される。
【００２５】  図７，図８は、測定部ボディ包持部位置調整機構６を用いて、上記図１〜図６に示した測長器２と測長器接続具３とを、上述のレベル測定装置１とは異なる測定部ボディ長のレベル測定装置３０に適用した事例を示している。
図７，図８に示すように、レベル測定装置３０の測定部ボディ１ｃは、上記レベル測定装置１の測定部ボディ長よりも長く設定されている。このため、測長器接続具３をレベル測定装置３０に取付けるには、取付けネジ２２，２２を一旦緩めて、ガイドネジ２１，２１及び取付けネジ２２，２２とガイド孔２０ａ，２０ｂ，２０ｂとの案内により、第１スライド板３ａと第２スライド板３ｂと互いに離反方向へスライドさせ、測定基準受け面１４から測長器収容部３ｅの前部壁３ｇの内側面までの長さＬ１が、測定部ボディ１ｂの旋回中心軸Ｏ１から測定部ボディ１ｂの前端面までの長さＬ２と同一長となった時点で、取付けネジ２２，２２を再びねじ込むことにより、第１，第２スライド板３ａ，３ｂが固定される。
【００２６】  そして、上述のように測長器２を組み付けした測長器接続具３をレベル測定装置１に固定した際には、測長器２の測長基準面２ａと測長器収容部３ｅの測定基準受け面１４とが、レベル測定の基準部である上部旋回体１ａ及び測定部ボディ１ｂの旋回中心軸Ｏ１に位置合わせされる。
このように、本形態例の測長器接続具３は、測長器２を測定部ボディ長が異なる他のレベル測定装置３０に組み合わせした場合にも、測長器２の測長基準面２ａが旋回中心軸Ｏ１と正確に位置合わせされるので、レベル測定装置３０の測定基準位置からレベル測定ポイントまでの距離を高い精度で簡便に測定することができる。
【００２７】  本発明の測長器接続具によれば、測定部ボディ長の異なる複数種類のレベル測定装置に適用することが可能であり、高い汎用性と経済性とが得られる。
【符号の説明】
【００２８】    １，３０…レベル測定装置
１ａ…上部旋回体
１ｂ，１ｃ…測定部ボディ
２…測長器
２ａ…測長基準面
２ｂ…ボディ
３…測長器接続具（レベル測定装置用測長器接続具）
３ａ…第１スライド板
３ｂ…第２スライド板
３ｃ…測定部ボディ包持部
３ｅ…測長器収容部
３ｆ…測長器収容部３ｅの後部壁
３ｇ…前部壁
４…上下方向調整機構
５…左右方向調整機構
６…測定部ボディ包持部位置調整機構
１０…めねじ孔
１１…調整ボルト
１２…球面座ナット
１３…基軸ボルト
１４…測定基準受け面
２０ａ，２０ｂ…ガイド孔
２１…ガイドネジ
２２…取付けネジ
Ｏ１…旋回中心軸
Ｏ２…測距軸
Ｏ３…レベル視準線
Ｌ１…測定基準受け面１４から測長器収容部３ｅの前部壁３ｇの内側面までの長さ
Ｌ２…測定部ボディ１ｂの旋回中心軸Ｏ１から測定部ボディ１ｂの前端面までの長さＬ２
【図１】
2013108966.tif 000003
【図２】
2013108966.tif 000004
【図３】
2013108966.tif 000005
【図４】
2013108966.tif 000006
【図５】
2013108966.tif 000007
【図６】
2013108966.tif 000008
【図７】
2013108966.tif 000009
【図８】
2013108966.tif 000010